(57)【要約】      （修正有）【課題】水中を推進する潜水艇船体に流れる水流の抵抗で船体は推進力を備えることができなかった【解決手段】潜水艇船体に流れる水流の抵抗で船体は推進力を備えることが不可能となるため船体側面左右に流れる水流力で水力発電機を回転させ発電した電力の水流で騒音は発揮するため騒音を抑えるため船体左右の放水力で騒音を抑えると船体は推進力を発揮する潜水艇船体となる【選択図】なし【特許請求の範囲】
【請求項１】
水中を推進する船体に流れる水流を船体側面左右の水路の水洞に放水すると船体の推進力の水流となり船体側面の水力発電機に流れた水流で発電した電力を船体のバッテリーに充電すると電力の船体となりバッテリーの電力でモーターを回転すると船体のデフ左右のブレーキベルトは開らき船体左右のプロペラシャフトは回転し船体の推進力となり
【請求項２】
水中を推進する船体を保護するため船体全体に強力なゴムで船体を保護すると電波探知機の防御となり水中を推進する船体に発生する騒音も強力なゴムの弾力で騒音を抑えると音波探知機に反応しない船体となる
【発明の詳細な説明】
【技術分野】
【０００１】本発明は水中を推進する潜水艇船体に関する
【背景技術】
【０００２】従来の潜水艇船体は水中を推進中船体側面左右に流れる水流の抵抗の対策を配置したものもある
【発明の概要】
【発明が解決しようとする課題】
【０００３】以上述べた従来の潜水艇は水中を推進中船体側面に流れる水流の騒音は船体の推進力で抑えることができなかった【０００４】本発明はこのように従来の構成が有していた問題を解決しようとするもので船体側面に流れる水流の抵抗を船体側面左右の水路に放水すると船体は推進力を発揮する船体となる
【課題を解決するための手段】
【０００５】本発明は上記目的を達成させるための手段として船体に流れる水流の抵抗を船体船尾に放水すると船体の推進力となる【０００６】上記発明の課題解決手段として水中を推進する船体側面に流れる水流の抵抗力の水流を船体側面左右の水路に放水すると船体は推進力の船体となる【０００７】上記の課題を解決するための手段は船体の推進力となるプロペラシャフトの回転力で発生する騒音を船体側面の水路に放水すると騒音を抑え推進する船体となる
【発明の効果】
【０００８】上述したように本発明の潜水艇が水中を推進中船体に発生する騒音は船体側面左右の水路に放水すると騒音を消音させ船体は推進力となる船体【０００９】水中を推進する船体に発生する騒音は船体側面左右の水路に放水すると騒音を低音させる効果を発揮する船体となる
【図面の簡単な説明】
【００１０】
【図１】本発明の実施形態を示す  船体側面に水路を備えた  船体図
【図２】本発明の実施形態を示す  船体を水中に推進する  船体図
【図３】本発明の実施形態を示す  船体を右に施回する  船体図
【図４】本発明の実施形態を示す  船体を左に施回する  船体図
【図５】本発明の実施形態を示す  船体を水中に潜水させる  船体図
【図６】本発明の実施形態を示す  船体を水面に浮上させる  船体図
【図７】本発明の実施形態を示す  船体に電力を備えた  船体図
【発明を実施するための形態】
【００１１】以下本発明の実施形態を図１〜図７に基づいて説明する
【００１２】［図１］
水中を推進する船体側面左右に水路を備えると船体の推進力となり船体  船体船底中央に突出した鉄壁２８を備えると安定力の船体となる
［図２］
船体に電力となるバッテリー１８を備えバッテリーの電力で船体のモーター１４を回転させると船体の推進力となるデフ１５左右のプロペラシャフト２６は回転し船体の推進力となる
［図３］
水中を推進する船体を右に施回させるため船体右の水平翼レバー５を下に向けると船体右の水路３の前後の水平翼４を下に向けると船体は右に傾むき右に施回する船体となるが船体が右に傾むくと右の船体側面に圧力の水流が流れると船体は左の水中に押し流がさせ船体は右に傾むくと船体は右に施回する船体となと右の水路３の前後の水平翼４の上に流れる水流で船体は右に施回する船体となり船体の走行舵レバー１２右を前に押すと連結ロット１３のブレーキレバー１６はデフ１５右のブレーキベルト２９に流れるとブレーキベルト２９は開らくと右のプロペラシャフト２６の回転で船尾の方向舵１０を右に向ける船体となる  走行舵レバー１２左を引くと連結ロット１３のブレーキレバー１６はデフ１５左のブレーキベルト２９は開らくと左のプロペラシャフト２６の回転で船体は右に施回する船体となる
［図４］
水中を推進する船体を左に施回させるため船体左の水平翼レバー５を下に向けると船体の左の水路３の前後の水平翼４の上に水流が流れると船体は左に傾むく船体となる  船体右の前後の水平翼４を上に向けると船体右の前後の水平翼４の下に水流が流れると船体は左に傾むき左に施回する船体となるが船体が左に施回すると船体左側面に圧力の水流が流れると船体は右の水中に押し流かさせると船体は左に傾むき施回する船体となる  走行舵レバー１２左を前に押すと連結ロット１３のブレーキレバー１６はデフ１５左のブレーキベルト２９を閉めると左のプロペラシャフト２６の回転はなく船尾の方向舵１０で左に向ける船体となる  走行舵レバー１２右を引くと連結ロット１３のブレーキレバー１６はデフ１５右のブレーキベルト２９と離れているため右のブレーキベルト２９は開らき右のデフ１５のプロペラシャフト２６は回転し船体は左に施回する船体となる
［図５］
水中に潜航する船体側面左右の水平翼レバー５を前に押すと連結している船体前後の水平翼４を下に向けると船体に流れる水流は船体側面左右の水路３に水流が流れると船体は水平を保ち水中に潜航する船体となり船体に備えてある走行舵レバー１２左右の連結ロット１３ブレーキレバー１６はデフ１５に備えた左右のブレーキベルト２９と接触はないためデフ１５左右のブレーキベルト２９は開らき船体のプロペラシャフト２６は回転する船体となる船体の電動力のバッテリー１８の電力で船体のモーター１４を回転するとデフ１５左右のブレーキベルト２９は開らきプロペラシャフト２６の回転で水中を潜航する船体となる
［図６］
水中を潜航する船体を水面に浮上させるため船体側面左右の水平翼レバー５を手前に引き船体の前後の水平翼レバー５を上に向けると船体の前後の水平翼４の下に水流が流れると船体は水平を保ち水面に浮上する船体となり船体側面左右の水路３に流れた水流は船体側面に備えた発電機１７に流れ発電した電力を船体のバッテリー１８に充電しバッテリー１８の電力で船体のモーター１４を回転させると走行舵レバー１２の連結ロット１３のブレーキレバー１６はデフ１５左右のブレーキベルト２９と離れ接触はないためデフ１５左右のブレーキベルト２９は開らき船体のプロペラシャフト２６は回転し船体は水中を潜航し推進する船体となる
［図７］
水中を推進中の船体側面左右の前後の水平翼４を水平に保つと船体側面左右に流れる水流は推進力の船体となり船体側面左右に流れる水流力で船体に備えた水力発電機１７を回転させ発電した電力を船体のバッテリー１８に充電すると電動力の船体となり船体の電力でモーター１４を回転させると連結するデフ１５内側のブレーキ機構に備えてあるブレーキベルト２９を開らかすと船体船体左右のプロペラシャフトは回転し船体側面の水路３に流れる放水力の水流で絶えず発電する電力の船体となる
【符号の説明】１    船体
２    船首
３    水路の水洞
４    水平翼
５    水平翼レバー
６    スクリユー
７    運転室
１０  方向舵
１２  走行舵レバー
１３  走行舵の連結ロット
１４  モーター
１５  デフ
１６  ブレーキレバー
１７  水力発電機
１８  電力のバッテリー
２５  発電機を回転させる歯車
２６  プロペラシャフト
２８  船体の鉄壁
２９  ブレーキベルト
【図１】
2020040641.tif 000002
【図２】
2020040641.tif 000003
【図３】
2020040641.tif 000004
【図４】
2020040641.tif 000005
【図５】
2020040641.tif 000006
【図６】
2020040641.tif 000007
【図７】
2020040641.tif 000008